(57)【特許請求の範囲】
【請求項１】
中心軸線を有する環状のヨークと、それぞれ前記ヨークの内周から延出する複数のティースと、を有し、隣合う前記ティースの間にスロットを構成した固定子鉄心と、
異なる前記スロットに配置された一対の線状部と、異なる前記スロットの間において前記一対の線状部を連結した架橋部と、を有する横断面形状が長方形の平角導体と、を備え、
前記中心軸線を通る軸方向と、前記固定子鉄心の径方向と、で構成される断面のうち前記ティースと前記架橋部とを含む断面で前記架橋部を見た場合に、
前記中心軸線から前記径方向の最も外側までの間における、それぞれ長辺側の側面が前記軸方向から前記径方向の外側に向かって所定の傾斜角度で傾斜し、かつ、前記軸方向と平行な方向又は交差した方向の直近で隣合う一組の前記架橋部が、前記径方向に対して最も多く存在する領域において、
前記軸方向に隣合い、かつ、前記径方向の内側から見て同じ順番で配置された一組の前記架橋部のうち前記固定子鉄心に対して相対的に遠くに位置する前記架橋部は、前記固定子鉄心に対して相対的に近くに位置する前記架橋部と比べて、前記径方向の外側に配置され、かつ、前記軸方向から前記径方向の外側に対する前記傾斜角度が大きいものを含み、
前記径方向に並ぶ前記架橋部のうち相対的に前記径方向の外側に位置する前記架橋部は、相対的に前記径方向の内側に位置する前記架橋部と比べて、前記傾斜角度が大きいものを含む、回転電機の固定子。
【請求項２】
前記領域の前記平角導体は、
前記一対の線状部の長辺側の側面が、それぞれ前記径方向に対向するようにして配置され、
前記架橋部が、前記一対の線状部との連結部分においてそれぞれ前記固定子鉄心の周方向に向かって折り曲げられた２つの折曲部と、前記２つの折曲部の間において前記長辺側の側面が前記径方向に対向しつつ短辺側の側面が前記軸方向に対向するように前記周方向の回りで捩れた１つ以上の捩部と、を有する、請求項１に記載の回転電機の固定子。
【請求項３】
前記平角導体は、前記固定子鉄心の外周面よりも前記径方向の内側に位置する、請求項１に記載の回転電機の固定子。
【請求項４】
前記平角導体は、前記固定子鉄心の内周面よりも前記径方向の外側に位置する、請求項１に記載の回転電機の固定子。
【請求項５】
請求項１に記載の固定子と、
前記固定子の界磁空間に配置された回転子と、を備えた回転電機。
【発明の詳細な説明】
【技術分野】
【０００１】
この発明の実施形態は、回転電機の固定子および回転電機に関する。
【背景技術】
【０００２】
回転電機は、筒状の固定子と、固定子の界磁空間に回転自在に設けられた回転子とを有している。固定子は、円環状の電磁鋼板を多数枚積層して構成された固定子鉄心と、固定子鉄心に取付けられたコイルと、を有している。複数のコイルセグメントを接合して構成されるコイルは、固定子鉄心の両端面から軸方向に突出するコイルエンドを有している。近年、回転電機の固定子は、一層の小型化が望まれている。
固定子鉄心の周方向に隣合うコイルセグメント同士は、固定子鉄心の径方向における干渉を防止するため、固定子鉄心の軸方向から傾斜させつつ、径方向と軸方向に重なるように配置されることがある。このような場合、固定子鉄心の径方向に隣合うコイルセグメントは、固定子鉄心の軸方向に積み重なることから、固定子の小型化が困難になる虞がある。
【先行技術文献】
【特許文献】
【０００３】
【特許文献１】特開２０１４―３６５６０号公報
【発明の概要】
【発明が解決しようとする課題】
【０００４】
本発明の実施形態の課題は、小型化を図ることのできる固定子を提供することにある。
【課題を解決するための手段】
【０００５】
実施形態の固定子は、中心軸線を有する環状のヨークと、それぞれ前記ヨークの内周から延出する複数のティースと、を有し、隣合う前記ティースの間にスロットを構成した固定子鉄心と、異なる前記スロットに配置された一対の線状部と、異なる前記スロットの間において前記一対の線状部を連結した架橋部と、を有する横断面形状が長方形の平角導体と、を備えている。
前記中心軸線を通る軸方向と、前記固定子鉄心の径方向と、で構成される断面のうち前記ティースと前記架橋部とを含む断面で前記架橋部を見た場合に、前記中心軸線から前記径方向の最も外側までの間における、それぞれ長辺側の側面が前記軸方向から前記径方向の外側に向かって所定の傾斜角度で傾斜し、かつ、前記軸方向と平行な方向又は交差した方向の直近で隣合う一組の前記架橋部が、前記径方向に対して最も多く存在する領域において、前記軸方向に隣合い、かつ、前記径方向の内側から見て同じ順番で配置された一組の前記架橋部のうち前記固定子鉄心に対して相対的に遠くに位置する前記架橋部は、前記固定子鉄心に対して相対的に近くに位置する前記架橋部と比べて、前記径方向の外側に配置され、かつ、前記軸方向から前記径方向の外側に対する前記傾斜角度が大きいものを含み、前記径方向に並ぶ前記架橋部のうち相対的に前記径方向の外側に位置する前記架橋部は、相対的に前記径方向の内側に位置する前記架橋部と比べて、前記傾斜角度が大きいものを含んでいる。
【図面の簡単な説明】
【０００６】
【図１】図１は、実施形態に係る回転電機を示す横断面図。
【図２】図２は、前記回転電機の固定子の一部を固定子鉄心の一端面側（各コイルセグメントの非溶接側）から示す斜視図。
【図３】図３は、前記回転電機の固定子の一部を前記固定子鉄心の他端面側（各コイルセグメントの溶接側）から示す斜視図。
【図４】図４は、固定子鉄心のスロットに配置される第１コイルセグメントから第７コイルセグメントを示す斜視図。
【図５】図５は、前記スロットの１レーン（最外周レーン）に位置する第１コイルセグメントを示す斜視図。
【図６】図６は、前記スロットの前記１レーンに位置する第２コイルセグメントを示す斜視図。
【図７】図７は、前記スロットの８レーン（最内周レーン）に位置する第３コイルセグメントを示す斜視図。
【図８】図８は、前記スロットの前記８レーンに位置する第４コイルセグメントを示す斜視図。
【図９】図９は、前記スロットの２レーンと３レーンにまたがって位置する第５コイルセグメントを示す斜視図。
【図１０】図１０は、前記スロットの４レーンと５レーンにまたがって位置する第６コイルセグメントを示す斜視図。
【図１１】図１１は、前記スロットの６レーンと７レーンにまたがって位置する第７コイルセグメントを示す斜視図。
【図１２】図１２は、複数の前記第７コイルセグメントを、前記固定子鉄心（不図示）の径方向および軸方向で構成される断面のうち、前記固定子鉄心のティース（不図示）を含む断面で示す斜視図。
【図１３】図１３は、複数の前記第６コイルセグメントを、前記ティースを含む断面で示す斜視図。
【図１４】図１４は、複数の前記第５コイルセグメントを、前記ティースを含む断面で示す斜視図。
【図１５】図１５は、複数の前記第７コイルセグメントと前記第６コイルセグメントと前記第５コイルセグメントとを、前記ティースを含む断面で示す斜視図。
【図１６】図１６は、一相（Ｕ相）分の並列接続された２本のコイルの結線図。
【図１７】図１７は、前記並列接続された２本のコイルのうちの１本目のコイルの結線図。
【図１８】図１８は、前記並列接続された２本のコイルのうちの２本目のコイルの結線図。
【発明を実施するための形態】
【０００７】
以下に、図面を参照しながら、本発明の実施形態について説明する。
なお、開示はあくまで一例にすぎず、以下の実施形態に記載した内容により発明が限定されるものではない。当業者が容易に想到し得る変形は、当然に開示の範囲に含まれる。説明をより明確にするため、図面において、各部分のサイズ、形状等を実際の実施態様に対して変更して模式的に表す場合もある。
【０００８】
図１を参照して、回転電機１００を構成する固定子１１０および回転子１２０について説明する。
図１は、実施形態に係る回転電機１００の横断面図である。
ここで、図１には、スロット１２の内部が固定子鉄心１０の径方向外側から内側に向かって区切られた複数の領域１Ｔ（スロット１２の最も外側に位置する領域）、２Ｔ、３Ｔ、４Ｔ、５Ｔ、６Ｔ、７Ｔおよび８Ｔ（スロット１２の最も内側に位置する領域）を表記している。各々の領域に、コイル２０が配置される。図２よりも後の図面についても、必要に応じて、同様の表記をしている。
【０００９】
図１に示すように、回転電機１００は、例えば、永久磁石型として構成されている。回転電機１００は、円筒状の固定子１１０と、固定子１１０の内側に中心軸線Ｃ１の回りで回転自在に固定子１１０と同軸的に設けられた回転子１２０と、を有している。固定子１１０の内側には、界磁空間が構成されている。実施形態における界磁空間は、固定子１１０によって磁界を発生させる空間である。
以下の説明では、回転電機１００の中心軸線Ｃ１の延在方向を軸方向Ｚ、中心軸線Ｃ１回りに回転する方向を周方向、軸方向Ｚおよび周方向に直交する方向を径方向と称する。
【００１０】
図１に示すように、固定子１１０は、円筒状の固定子鉄心１０と、固定子鉄心１０に巻き付けられたコイル（回転子巻線）２０等を有している。
固定子鉄心１０は、磁性材、例えば、ケイ素鋼などの円環状の電磁鋼板１０Ｓを複数枚、中心軸線Ｃ１において同芯状に積層して構成されている。複数枚の電磁鋼板１０Ｓは、固定子鉄心１０の外周面の複数個所を溶接することにより、互いに積層された状態で連結されている。固定子鉄心１０は、複数枚の電磁鋼板１０Ｓが積層された状態において、軸方向Ｚの一端に位置する一端面１０ａと、軸方向Ｚの他端に位置する他端面１０ｂと、を有している。一端面１０ａおよび他端面１０ｂは、中心軸線Ｃ１と直交して延在している。
【００１１】
固定子鉄心１０の内周部には、複数（例えば４８個）のスロット１２が形成されている。各スロット１２は、複数種類のコイルセグメント（第１コイルセグメント２１から第７コイルセグメント２７）が軸方向Ｚに挿通され固定子鉄心１０の径方向に並べて配置される複数の領域１Ｔ、２Ｔ、３Ｔ、４Ｔ、５Ｔ、６Ｔ、７Ｔおよび８Ｔを有している。ここで、各スロット１２の複数の領域１Ｔから８Ｔは、固定子鉄心１０の周方向に環状に並べられた状態において、後述するようにコイルセグメントの１レーンから８レーンを構成する。各スロット１２は、固定子鉄心１０の一端面１０ａから他端面１０ｂまで中心軸線Ｃ１に延在し、固定子鉄心１０の周方向に等間隔を置いて並んでいる。各スロット１２は、固定子鉄心１０の内周面に開口し、この内周面から固定子鉄心１０の放射方向（径方向外側）に延出されている。各スロット１２は、固定子鉄心１０の軸方向Ｚの全長に亘って延在し、その一端が固定子鉄心１０の一端面１０ａに開口し、その他端が固定子鉄心１０の他端面１０ｂに開口している。
なお、各スロット１２は、本実施の形態において、固定子鉄心１０の内周面に開口した例を示したが、固定子鉄心１０の内周面に開口しない構成とすることもできる。また、各スロット１２は、固定子鉄心１０の軸方向Ｚに平行に延在する例を示したが、各スロット１２が軸方向Ｚに対して傾いて延在した、すなわち、いわゆるスキューした構成とすることもできる。
【００１２】
固定子鉄心１０の周方向に隣合うスロット１２の間には、複数（例えば４８個）のティース１４が形成されている。固定子鉄心１０において、隣合うティース１４の間にスロット１２が構成されている。各ティース１４は、図１に示す中心軸線Ｃ１に向かって延在し、固定子鉄心１０の周方向に沿って等間隔を置いて並んでいる。すなわち、固定子鉄心１０は、複数のスロット１２よりも径方向外側に位置し中心軸線Ｃ１を有する円環状のヨーク１６と、ヨーク１６の内周面から中心軸線Ｃ１に向かって径方向内側に延出した複数のティース１４と、を一体に有している。
【００１３】
コイル２０は、各スロット１２に配置され、隣合う各スロット１２の間に位置する各ティース１４に巻き付けられている。コイル２０は、固定子鉄心１０の一端面１０ａから軸方向Ｚの外側に向かって延出する第１コイルエンド２０ａと、固定子鉄心１０の他端面１０ｂから軸方向Ｚの外側に向かって延出する第２コイルエンド２０ｂと、を有している。
【００１４】
図１に示すように、回転子１２０は、中心軸線Ｃ１を中心に回転される円柱形状のシャフト（回転軸）４０と、シャフト４０の軸方向Ｚのほぼ中央部を挿通して接合した円筒形状の回転子鉄心４２と、回転子鉄心４２に埋め込まれた複数の永久磁石４４と、を有している。
【００１５】
回転子鉄心４２は、磁性材、例えば、ケイ素鋼などの円環状の電磁鋼板４２Ｓを複数枚、同芯状に積層した積層体として構成されている。回転子鉄心４２は、中心軸線Ｃ１と同軸的に形成された内孔４２ａを有している。回転子鉄心４２の内孔４２ａに、シャフト４０が挿通および嵌合されて、回転子鉄心４２からシャフト４０が中心軸線Ｃ１と同軸的に延在している。回転子鉄心４２は、固定子鉄心１０の内側に僅かな隙間（エアギャップ）を置いて、固定子鉄心１０と同軸的に配置されている。すなわち、回転子鉄心４２の外周面は、僅かな隙間をおいて、固定子鉄心１０の内周面に相当するティース１４の先端面に対向している。
回転子鉄心４２は、それぞれ回転子鉄心４２の放射方向（径方向外側）に延びるｄ軸、およびｄ軸に対して電気的に９０°離間したｑ軸を有している。実施形態では、隣合う磁極間の境界および中心軸線Ｃ１を通って放射方向に延びる軸をｑ軸とし、ｑ軸に対して電気的に直角な方向をｄ軸としている。ｄ軸およびｑ軸は、回転子鉄心４２の周方向に交互に、かつ、所定の位相で設けられている。回転子鉄心４２には、軸方向Ｚに貫通する複数の永久磁石４４用の孔が形成されている。
【００１６】
永久磁石４４は、回転子鉄心４２に複数設けられた孔に装填されて固定されている。永久磁石４４は、回転子鉄心４２の軸方向Ｚの全長に亘って延在し、回転子鉄心４２の周方向に所定の間隔を置いて配列されている。各永久磁石４４は、回転子鉄心４２の周方向において、各ｄ軸の両側に配置されている。各永久磁石４４は、断面が矩形状の細長い平板状に形成され、回転子鉄心４２の軸方向Ｚの長さとほぼ等しい長さを有している。永久磁石４４は、回転子鉄心４２の中心軸線Ｃ１と直交する断面で視認した場合、それぞれｄ軸に対して傾斜している。各ｄ軸の両側に配置されている２つの永久磁石４４は、例えば、ほぼＶ字状に並んで配置されている。ここでは、永久磁石４４の内周側の端はそれぞれｄ軸に隣接し、僅かな隙間をおいて互いに対向している。永久磁石４４の外周側の端は、回転子鉄心４２の周方向に沿ってｄ軸から離間し、回転子鉄心４２の外周面の近傍およびｑ軸の近傍に位置している。これにより、永久磁石４４の外周側の端は、隣合う磁極の永久磁石４４の外周側の端に対して、ｑ軸を挟んで隣接している。
なお、各永久磁石４４は、本実施の形態において、それぞれｄ軸に対して傾斜している例を示したが、各永久磁石４４がｄ軸に対して傾斜しない構成とすることもできる。
【００１７】
ここで、回転電機１００は、３相（Ｕ相、Ｖ相およびＷ相）の交流電源によって駆動される。例えば、Ｕ相に対応し並列接続された２本のコイル２０、Ｖ相に対応し並列接続された２本のコイル２０、およびＷ相に対応し並列接続された２本のコイル２０が、分布型の配置により、ティース１４に巻き付けられている。すなわち、それぞれ並列接続されたＵ相、Ｖ相およびＷ相に対応する合計６本のコイル２０が、ティース１４に巻き付けられている。ここで、固定子鉄心１０の周方向に配置された４８個のスロット１２のうち、任意のスロット１２を基準としたｎ番目（ｎ番は不図示、以下同様）およびｎ＋１番目のスロット１２には、Ｕ相の２本のコイル２０が配置されている。ｎは、１、６、１２、１８、２４、３０、３６および４２である。同様に、４８個のスロット１２のうち、ｎ＋２番目およびｎ＋３番目には、Ｖ相の２本のコイル２０が配置されている。同様に、４８個のスロット１２のうち、ｎ＋４番目およびｎ＋５番目には、Ｗ相の２本のコイル２０が配置されている。各スロット１２には、固定子鉄心１０の径方向と平行に長辺が並ぶように、合計８本のコイルセグメントが整列された状態で配置されている。
【００１８】
図２および図３を参照して、固定子１１０を構成するコイル２０の概要について説明する。
図２は、回転電機１００の固定子１１０の一部を固定子鉄心１０の一端面１０ａ側（各コイルセグメントの非溶接側）から示す斜視図、図３は、回転電機１００の固定子１１０の一部を固定子鉄心１０の他端面１０ｂ側（各コイルセグメントの溶接側）から示す斜視図である。
図２には、固定子鉄心１０の周方向に環状に配置された各スロット１２の領域１Ｔ、２Ｔ、３Ｔ、４Ｔ、５Ｔ、６Ｔ、７Ｔおよび８Ｔに対応した、コイル２０の１レーン（最外周レーン）、２レーン、３レーン、４レーン、５レーン、６レーン、７レーンおよび８レーン（最内周レーン）を、１Ｌ、２Ｌ、３Ｌ、４Ｌ、５Ｌ、６Ｌ、７Ｌおよび８Ｌで表記している。図２よりも後の図面についても、必要に応じて、同様の表記をしている。ここで、例えば、固定子鉄心１０の周方向に環状に配置された４８個のスロット１２の各々の領域１Ｔをつなぐ仮想的な同一円を、コイル２０の１レーンと称している。同様に、例えば、４８個のスロット１２の各々の領域８Ｔをつなぐ仮想的な同一円を、コイル２０の８レーンと称している。
【００１９】
図２に示すように、固定子鉄心１０の一端面１０ａ側において、各相（Ｕ相、Ｖ相およびＷ相）の１本目のコイル２０は、各スロット１２の領域１Ｔ（最外周の１レーンに相当）に配置された第１コイルセグメント２１、各スロット１２の領域２Ｔ（２レーンに相当）と領域３Ｔ（３レーンに相当）にまたがって配置された第５コイルセグメント２５、各スロット１２の領域４Ｔ（４レーンに相当）と領域５Ｔ（５レーンに相当）にまたがって配置された第６コイルセグメント２６、各スロット１２の領域６Ｔ（６レーンに相当）と領域７Ｔ（７レーンに相当）にまたがって配置された第７コイルセグメント２７、および各スロット１２の領域８Ｔ（最内周の８レーンに相当）に配置された第３コイルセグメント２３により構成されている。
各相（Ｕ相、Ｖ相およびＷ相）の２本目のコイル２０は、１本目のコイル２０と電気的に並列接続される。各相（Ｕ相、Ｖ相およびＷ相）の２本目のコイル２０は、各スロット１２の領域１Ｔに配置された第２コイルセグメント２２、第５コイルセグメント２５、第６コイルセグメント２６、第７コイルセグメント２７、および各スロット１２の領域８Ｔに配置された第４コイルセグメント２４により構成されている。
【００２０】
図３に示すように、固定子鉄心１０の他端面１０ｂ側において、各相（Ｕ相、Ｖ相およびＷ相）の１本目のコイル２０を構成する第１コイルセグメント２１、第５コイルセグメント２５、第６コイルセグメント２６、第７コイルセグメント２７、および第３コイルセグメント２３は、その順番で溶接されて、溶接ドット２８が形成されている。同様に、各相（Ｕ相、Ｖ相およびＷ相）の２本目のコイル２０を構成する第２コイルセグメント２２、第５コイルセグメント２５、第６コイルセグメント２６、第７コイルセグメント２７、および第４コイルセグメント２４は、その順番で溶接されて、溶接ドット２８が形成されている。溶接ドット２８は、互いに隣接した異なるコイルセグメントの接合面に相当する端部同士が、例えばレーザー光の照射により部分的に溶融および冷却硬化されて形成されている。
ここで、コイル２０に対する電力の入力端子である接続端子３０は、Ｕ相の２本のコイル２０の口出し線に接続されたＵ相接続端子３１と、Ｖ相の２本のコイル２０の口出し線に接続されたＶ相接続端子３２と、Ｗ相の２本のコイル２０の口出し線に接続されたＷ相接続端子３３と、によって構成されている。Ｕ相接続端子３１を介してＵ相の２本のコイル２０に交流電流が入力され、Ｖ相接続端子３２を介してＶ相の２本のコイル２０に交流電流が入力され、Ｗ相接続端子３３を介してＷ相の２本のコイル２０に交流電流が入力されると、固定子１１０（ティース１４）に所定の鎖交磁束が形成される。
【００２１】
図４を参照して、コイル２０を構成する複数のコイルセグメント（第１コイルセグメント２１から第７コイルセグメント２７）の概要について説明する。
図４は、固定子鉄心１０のスロット１２に配置される第１コイルセグメント２１から第７コイルセグメント２７を示す斜視図である。
【００２２】
図４に示すように、第１コイルセグメント２１から第７コイルセグメント２７は、長手方向に垂直な断面（横断面）が矩形状からなる平角導体（コイル２０の素線に相当）により構成されている。平角導線によって構成された各々のコイルセグメント（第１コイルセグメント２１から第７コイルセグメント２７）は、例えば、横断面において対向する２つの長辺２０ｓ（第１辺）と２つの短辺２０ｔ（第２辺）を有する長方形状に形成されている。２つの長辺２０ｓは、コイルセグメントの延伸方向と交差する方向に対向している。２つの短辺２０ｔは、長辺２０ｓよりも短く、長辺２０ｓと交差した状態で、コイルセグメントの延伸方向と交差する方向に対向している。各々のコイルセグメントは、長辺２０ｓと延伸方向に延在した外縁２０ｕとで構成され互いに対向した長側面２０Ｍと、短辺２０ｔと外縁２０ｕとで構成され長側面２０Ｍと交差し互いに対向した短側面２０Ｎ（第２側面）とを有している。平角導体は、横断面における四隅をＲ加工している。平角導体は、横断面における四隅を面取り加工したり、あるいは横断面における四隅に加工を施すことなく直角のままとしてもよい。第１コイルセグメント２１から第７コイルセグメント２７は、十分な導電性を有する銅やアルミからなる。
【００２３】
各相（Ｕ相、Ｖ相およびＷ相）の１本目のコイル２０は、一対の屈折部が反時計方向ＣＣＷに屈折した第１コイルセグメント２１、一対の屈折部が互いに離間するように時計方向ＣＷと反時計方向ＣＣＷに屈折した第５コイルセグメント２５と第６コイルセグメント２６と第７コイルセグメント２７、および一対の屈折部が時計方向ＣＷに屈折した第３コイルセグメント２３において、固定子鉄心１０の径方向に隣接する各接合面が溶接されることにより、１本の配線を構成する。なお、図４においては、第１コイルセグメント２１から第７コイルセグメント２７を１つずつ図示している。
各相（Ｕ相、Ｖ相およびＷ相）の２本目のコイル２０は、一対の屈折部が反時計方向ＣＣＷに屈折した第２コイルセグメント２２、一対の屈折部が互いに離間するように時計方向ＣＷと反時計方向ＣＣＷに屈折した第５コイルセグメント２５と第６コイルセグメント２６と第７コイルセグメント２７、および一対の屈折部が時計方向ＣＷに屈折した第４コイルセグメント２４において、固定子鉄心１０の径方向に隣接する各接合面が溶接されることにより、１本の配線を構成する。
各相（Ｕ相、Ｖ相およびＷ相）の２本のコイル２０は、各コイルセグメントの接合面が、例えば、粉体塗装され、あるいはワニス等の絶縁材料で覆われて、電気的絶縁が担保されている。図１に示すように、各々のコイルセグメントの接合面以外の表面（側面）は、例えば、エナメル等の絶縁被膜によって被膜されて、電気的絶縁が担保されている。さらに、同一のスロット１３に配置されている複数のコイルセグメントは、絶縁紙２９によって一体に包装されて、電気的絶縁が担保されている。
【００２４】
図５を参照して、スロット１２内に固定子鉄心１０の径方向に配列される複数のコイルセグメントのうち最も外側の領域１Ｔ（１レーンに相当）に位置する第１コイルセグメント２１の構成について説明する。
図５は、スロット１２の１レーン（最外周レーン）に位置する第１コイルセグメント２１を示す斜視図である。
【００２５】
図５に示すように、第１コイルセグメント２１は、異なる２つのスロット１２の領域１Ｔに配置されている。第１コイルセグメント２１は、スロット１２に配置される第１延伸部２１Ｐと、第１延伸部２１Ｐが配置されたスロット１２から固定子鉄心１０の周方向（固定子鉄心１０の一端面１０ａ側から他端面１０ｂに向かって視認した場合、時計方向ＣＷ側）に５つ離れたスロット１２に配置される第２延伸部２１Ｑと、固定子鉄心１０の一端面１０ａ側において第１延伸部２１Ｐと第２延伸部２１Ｑとを架橋する架橋部２１Ｒと、を一体に有している。
【００２６】
第１コイルセグメント２１の第１延伸部２１Ｐは、第１線状部２１Ｐａと、第１屈折部２１Ｐｂと、第１接合面２１Ｐｃと、を有している。
第１線状部２１Ｐａは、固定子鉄心１０の一端面１０ａ側から他端面１０ｂ側まで貫通するように、スロット１２に対して中心軸線Ｃ１と平行に配置されている。
第１屈折部２１Ｐｂは、固定子鉄心１０の他端面１０ｂ側において、第１線状部２１Ｐａの端部から延出されている。第１屈折部２１Ｐｂは、固定子鉄心１０の一端面１０ａ側から他端面１０ｂに向かって視認した場合に、固定子鉄心１０の周方向の反時計方向ＣＣＷ側に屈折している。第１屈折部２１Ｐｂは、固定子鉄心の軸方向Ｚ、すなわち、中心軸線Ｃ１に平行な第１線状部２１Ｐａに対して反時計方向ＣＣＷ側に約８０°屈折した状態で図示されているが、第１線状部２１Ｐａに対して例えば３０°から８５°程度屈折させてもよい。第１屈折部２１Ｐｂは、固定子鉄心１０の周方向に隣合う各スロット１２の領域１Ｔに沿うように、固定子鉄心１０の周方向に若干湾曲している。
第１接合面２１Ｐｃは、第１屈折部２１Ｐｂの先端に位置し、固定子鉄心１０の径方向に隣合うコイルセグメントと溶接により機械的および電気的に接合されて、溶接ドット２８が形成される部分である。第１接合面２１Ｐｃは、固定子鉄心１０の他端面１０ｂとほぼ平行に位置している。
【００２７】
第１コイルセグメント２１の第２延伸部２１Ｑは、第１延伸部２１Ｐと相似形状に形成されている。第２延伸部２１Ｑは、第１延伸部２１Ｐと同様の構成からなる第２線状部２１Ｑａと、第２屈折部２１Ｑｂと、第２接合面２１Ｑｃと、を有している。
【００２８】
第１コイルセグメント２１の架橋部２１Ｒは、固定子鉄心１０の一端面１０ａ側において、第１線状部２１Ｐａと第２線状部２１Ｑａとを連結している。架橋部２１Ｒは、第１屈曲端部２１Ｒａと、第１延在部２１Ｒｂと、連結部２１Ｒｃと、第２延在部２１Ｒｄと、第２屈曲端部２１Ｒｅと、をその順番で一体に有している。第１屈曲端部２１Ｒａは、第１線状部２１Ｐａと連なり固定子鉄心１０の周方向の時計方向ＣＷに向かって屈曲している。第１延在部２１Ｒｂは、第１屈曲端部２１Ｒａから固定子鉄心１０の周方向の時計方向ＣＷと径方向外側に延在している。第２屈曲端部２１Ｒｅは、第２線状部２１Ｑａと連なり固定子鉄心１０の周方向の反時計方向ＣＣＷに向かって屈曲している。第２延在部２１Ｒｄは、第２屈曲端部２１Ｒｅから固定子鉄心１０の周方向の反時計方向ＣＣＷと径方向外側に延在している。連結部２１Ｒｃは、Ｓ字状に湾曲して形成され、第１延在部２１Ｒｂと第２延在部２１Ｒｄとを連結している。
架橋部２１Ｒにおける短側面２１Ｎは、固定子鉄心１０の一端面１０ａに対して対向して配置される。架橋部２１Ｒの連結部２１Ｒｃは、固定子鉄心１０の一端面１０ａに対してほぼ平行の部分を含んでいる。第１線状部２１Ｐａおよび第２線状部２１Ｑａにおける長側面２１Ｍは、それぞれ固定子鉄心１０の径方向に対向して配置される。
【００２９】
第１コイルセグメント２１において、架橋部２１Ｒ、第１延伸部２１Ｐの第１線状部２１Ｐａの上端、および第２延伸部２１Ｑの第２線状部２１Ｑａの上端は、固定子鉄心１０の一端面１０ａにおいて、第１コイルエンド２０ａを構成している。同様に、第１コイルセグメント２１において、第１延伸部２１Ｐの第１線状部２１Ｐａの下端と第１屈折部２１Ｐｂと第１接合面２１Ｐｃ、および第２延伸部２１Ｑの第２線状部２１Ｑａの下端と第２屈折部２１Ｑｂと第２接合面２１Ｑｃは、固定子鉄心１０の他端面１０ｂにおいて、第２コイルエンド２０ｂを構成している。この構成は、第２コイルセグメント２２から第７コイルセグメント２７についても、同様である。
【００３０】
図６を参照して、スロット１２の領域１Ｔ（１レーンに相当）に位置する第２コイルセグメント２２の構成について説明する。
図６は、スロット１２の１レーンに位置する第２コイルセグメント２２を示す斜視図である。
【００３１】
図６に示すように、第２コイルセグメント２２は、異なる２つのスロット１２の領域１Ｔに配置されている。第２コイルセグメント２２は、第１コイルセグメント２１よりも大きく形成されている。第２コイルセグメント２２は、固定子鉄心１０の一端面１０ａ側において、第１コイルセグメント２１を被覆するように配置されている。すなわち、第２コイルセグメント２２の第１線状部２２Ｐａと第２線状部２２Ｑａは、第１コイルセグメント２１の第１線状部２１Ｐａと第２線状部２１Ｑａを、固定子鉄心１０の周方向の両側から挟むように配置されている。第２コイルセグメント２２は、固定子鉄心１０の一端面１０ａ側から他端面１０ｂに向かって視認した場合に、第１コイルセグメント２１をまたいでいない。すなわち、第２コイルセグメント２２は、固定子鉄心１０の径方向において、第１コイルセグメント２１と交差していない。
第２コイルセグメント２２は、スロット１２に配置される第１延伸部２２Ｐと、第１延伸部２２Ｐが配置されたスロット１２から固定子鉄心１０の周方向（固定子鉄心１０の一端面１０ａ側から他端面１０ｂに向かって視認した場合、時計方向ＣＷ側）に７つ離れたスロット１２に配置される第２延伸部２２Ｑと、固定子鉄心１０の一端面１０ａ側において第１延伸部２２Ｐと第２延伸部２２Ｑとを架橋する架橋部２２Ｒと、を一体に有している。
第１延伸部２２Ｐは、第１線状部２２Ｐａと、第１屈折部２２Ｐｂと、第１接合面２２Ｐｃと、を有している。第１延伸部２２Ｐは、第１コイルセグメント２１の第１延伸部２１Ｐの構成と同様である。
第２延伸部２２Ｑは、第１延伸部２２Ｐと相似形状に形成されている。第２延伸部２２Ｑは、第１延伸部２２Ｐと同様の構成からなる第２線状部２２Ｑａと、第２屈折部２２Ｑｂと、第２接合面２２Ｑｃと、を有している。
架橋部２２Ｒは、固定子鉄心１０の一端面１０ａ側において、第１線状部２２Ｐａと第２線状部２２Ｑａとを連結している。架橋部２２Ｒは、第１屈曲端部２２Ｒａと、第１延在部２２Ｒｂと、連結部２２Ｒｃと、第２延在部２２Ｒｄと、第２屈曲端部２２Ｒｅと、をその順番で一体に有している。第２コイルセグメント２２の架橋部２２Ｒは、第１コイルセグメント２１の架橋部２１Ｒの構成と同様である。
架橋部２２Ｒにおける短側面２２Ｎは、固定子鉄心１０の一端面１０ａに対して対向して配置される。架橋部２２Ｒの連結部２２Ｒｃは、固定子鉄心１０の一端面１０ａに対してほぼ平行の部分を含んでいる。第１線状部２２Ｐａおよび第２線状部２２Ｑａにおける長側面２２Ｍは、それぞれ固定子鉄心１０の径方向に対向して配置される。
【００３２】
図７を参照して、スロット１２内に固定子鉄心１０の径方向に配列される複数のコイルセグメントのうち最も内側の領域８Ｔ（８レーンに相当）に位置する第３コイルセグメント２３の構成について説明する。
図７は、スロット１２の８レーン（最内周レーン）に位置する第３コイルセグメント２３を示す斜視図である。
【００３３】
図７に示すように、第３コイルセグメント２３は、異なる２つのスロット１２の領域８Ｔに配置されている。第３コイルセグメント２３は、スロット１２に配置される第１延伸部２３Ｐと、第１延伸部２３Ｐが配置されたスロット１２から固定子鉄心１０の周方向（固定子鉄心１０の一端面１０ａ側から他端面１０ｂに向かって視認した場合、時計方向ＣＷ側）に７つ離れたスロット１２に配置される第２延伸部２３Ｑと、固定子鉄心１０の一端面１０ａ側において第１延伸部２３Ｐと第２延伸部２３Ｑとを架橋する架橋部２３Ｒと、を一体に有している。
第１延伸部２３Ｐは、第１線状部２３Ｐａと、第１屈折部２３Ｐｂと、第１接合面２３Ｐｃと、を有している。第１延伸部２３Ｐは、第１コイルセグメント２１の第１延伸部２１Ｐの構成と同様である。但し、第１屈折部２３Ｐｂは、固定子鉄心１０の一端面１０ａ側から他端面１０ｂに向かって視認した場合に、固定子鉄心１０の周方向の時計方向ＣＷ側に屈折していることが相違する。
第２延伸部２３Ｑは、第１延伸部２３Ｐと相似形状に形成されている。第２延伸部２３Ｑは、第１延伸部２３Ｐと同様の構成からなる第２線状部２３Ｑａと、第２屈折部２３Ｑｂと、第２接合面２３Ｑｃと、を有している。
架橋部２３Ｒは、固定子鉄心１０の一端面１０ａ側において、第１線状部２３Ｐａと第２線状部２３Ｑａとを連結している。架橋部２３Ｒは、第１屈曲端部２３Ｒａと、第１延在部２３Ｒｂと、連結部２３Ｒｃと、第２延在部２３Ｒｄと、第２屈曲端部２３Ｒｅと、をその順番で一体に有している。第３コイルセグメント２３の架橋部２３Ｒは、第１コイルセグメント２１の架橋部２１Ｒの構成と同様である。
架橋部２３Ｒの連結部２３Ｒｃにおける長側面２３Ｍは、固定子鉄心１０の一端面１０ａに対して対向して配置される。架橋部２３Ｒの連結部２３Ｒｃは、固定子鉄心１０の一端面１０ａに対してほぼ平行の部分を含んでいる。第１線状部２３Ｐａおよび第２線状部２３Ｑａにおける長側面２３Ｍは、それぞれ固定子鉄心１０の径方向に対向して配置されている。このような構成にするため、第１延在部２３Ｒｂの部分に、延伸方向に捩れた第１捩部２３Ｒｆが形成されている。同様に、第２延在部２３Ｒｄの部分に、延伸方向に捩れた第２捩部２３Ｒｇが形成されている。
【００３４】
図８を参照して、スロット１２の領域８Ｔ（８レーンに相当）に位置する第４コイルセグメント２４の構成について説明する。
図８は、スロット１２の８レーンに位置する第４コイルセグメント２４を示す斜視図である。
【００３５】
図８に示すように、第４コイルセグメント２４は、異なる２つのスロット１２の領域８Ｔに配置されている。第４コイルセグメント２４は、第３コイルセグメント２３と相似形状であって、第３コイルセグメント２３よりも小さく形成されている。第４コイルセグメント２４は、固定子鉄心１０の一端面１０ａ側において、第３コイルセグメント２３に被覆されるように配置されている。すなわち、第４コイルセグメント２４の第１線状部２４Ｐａと第２線状部２４Ｑａは、第３コイルセグメント２３の第１線状部２３Ｐａと第２線状部２３Ｑａによって、固定子鉄心１０の周方向の両側から挟まれるように配置されている。第４コイルセグメント２４は、固定子鉄心１０の一端面１０ａ側から他端面１０ｂに向かって視認した場合に、第３コイルセグメント２３をまたいでいない。すなわち、第４コイルセグメント２４は、固定子鉄心１０の径方向において、第３コイルセグメント２３と交差していない。
第４コイルセグメント２４は、スロット１２に配置される第１延伸部２４Ｐと、第１延伸部２４Ｐが配置されたスロット１２から固定子鉄心１０の周方向（固定子鉄心１０の一端面１０ａ側から他端面１０ｂに向かって視認した場合、時計方向ＣＷ側）に５つ離れたスロット１２に配置される第２延伸部２４Ｑと、固定子鉄心１０の一端面１０ａ側において第１延伸部２４Ｐと第２延伸部２４Ｑとを架橋する架橋部２４Ｒと、を一体に有している。
第１延伸部２４Ｐは、第１線状部２４Ｐａと、第１屈折部２４Ｐｂと、第１接合面２４Ｐｃと、を有している。第１延伸部２４Ｐは、第３コイルセグメント２３の第１延伸部２３Ｐの構成と同様である。
第２延伸部２４Ｑは、第１延伸部２４Ｐと相似形状に形成されている。第２延伸部２４Ｑは、第１延伸部２４Ｐと同様の構成からなる第２線状部２４Ｑａと、第２屈折部２４Ｑｂと、第２接合面２４Ｑｃと、を有している。
架橋部２４Ｒは、固定子鉄心１０の一端面１０ａ側において、第１線状部２４Ｐａと第２線状部２４Ｑａとを連結している。架橋部２４Ｒは、第１屈曲端部２４Ｒａと、第１延在部２４Ｒｂと、連結部２４Ｒｃと、第２延在部２４Ｒｄと、第２屈曲端部２４Ｒｅと、をその順番で一体に有している。第４コイルセグメント２４の架橋部２４Ｒは、第１コイルセグメント２１の架橋部２１Ｒの構成と同様である。
架橋部２４Ｒにおける短側面２４Ｎは、固定子鉄心１０の一端面１０ａに対して対向して配置される。架橋部２４Ｒの連結部２４Ｒｃは、固定子鉄心１０の一端面１０ａに対してほぼ平行の部分を含んでいる。第１線状部２４Ｐａおよび第２線状部２４Ｑａにおける長側面２４Ｍは、それぞれ固定子鉄心１０の径方向に対向して配置される。
【００３６】
図９を参照して、スロット１２の領域２Ｔおよび３Ｔ（２および３レーンに相当）に位置する第５コイルセグメント２５の構成について説明する。
図９は、スロット１２の２レーンと３レーンにまたがって位置する第５コイルセグメント２５を示す斜視図である。
【００３７】
図９に示すように、第５コイルセグメント２５は、異なる２つのスロット１２の領域２Ｔと領域３Ｔにまたがって配置されている。固定子鉄心１０の径方向に相対的に１つ位置が異なる２つの領域３Ｔおよび２Ｔ（例えば３レーンと２レーンを構成）の一方の領域３Ｔには第５コイルセグメント２５の第１線状部２５Ｐａが配置され、他方の領域２Ｔには第５コイルセグメント２５の第２線状部２５Ｑａが配置されている。すなわち、第５コイルセグメント２５は、異なる２つのスロット１２の領域２Ｔと領域３Ｔにまたがって配置されている。固定子鉄心１０の周方向に隣接して配置された第５コイルセグメント２５同士は、固定子鉄心１０の径方向に交差している。
【００３８】
第５コイルセグメント２５は、スロット１２に配置される第１延伸部２５Ｐと、第１延伸部２５Ｐが配置されたスロット１２から固定子鉄心１０の周方向（固定子鉄心１０の一端面１０ａ側から他端面１０ｂに向かって視認した場合、反時計方向ＣＣＷ側）に６つ離れたスロット１２に配置される第２延伸部２５Ｑと、固定子鉄心１０の一端面１０ａ側において第１延伸部２５Ｐと第２延伸部２５Ｑとを架橋する架橋部２５Ｒと、を一体に有している。
【００３９】
第５コイルセグメント２５の第１延伸部２５Ｐは、第１線状部２５Ｐａと、第１屈折部２５Ｐｂと、第１接合面２５Ｐｃと、を有している。第１線状部２５Ｐａは、固定子鉄心１０の一端面１０ａ側から他端面１０ｂ側まで貫通するように、スロット１２に対して中心軸線Ｃ１と平行に配置されている。第１屈折部２５Ｐｂは、固定子鉄心１０の他端面１０ｂ側において、第１線状部２５Ｐａの端部から延出されている。第１屈折部２５Ｐｂは、固定子鉄心１０の一端面１０ａ側から他端面１０ｂに向かって視認した場合に、固定子鉄心１０の周方向の反時計方向ＣＣＷ側に屈折している。第１屈折部２５Ｐｂは、その先端に位置する第１接合面２５Ｐｃが固定子鉄心１０の周方向に隣合う各スロット１２の５レーンに位置するように、固定子鉄心１０の周方向に若干湾曲している。第１接合面２５Ｐｃは、第１屈折部２５Ｐｂの先端に位置し、固定子鉄心１０の径方向に隣合うコイルセグメントと溶接により機械的および電気的に接合されて、溶接ドット２８が形成される部分である。第１接合面２５Ｐｃは、固定子鉄心１０の他端面１０ｂとほぼ平行に位置している。
【００４０】
第５コイルセグメント２５の第２延伸部２５Ｑは、第１延伸部２５Ｐと相似形状に形成されている。第２延伸部２５Ｑは、第１延伸部２５Ｐと同様の構成からなる第２線状部２５Ｑａと、第２屈折部２５Ｑｂと、第２接合面２５Ｑｃと、を有している。但し、第２屈折部２５Ｑｂは、固定子鉄心１０の一端面１０ａ側から他端面１０ｂに向かって視認した場合に、固定子鉄心１０の周方向の時計方向ＣＷ側に屈折していることが相違する。第２屈折部２５Ｑｂは、その先端に位置する第２接合面２５Ｑｃが固定子鉄心１０の周方向に隣合う各スロット１２の４レーンに位置するように、固定子鉄心１０の周方向に若干湾曲している。
【００４１】
架橋部２５Ｒは、固定子鉄心１０の一端面１０ａ側において、第１線状部２５Ｐａと第２線状部２５Ｑａとを連結している。架橋部２５Ｒは、第１屈曲端部２５Ｒａと、第１延在部２５Ｒｂと、連結部２５Ｒｃと、第２延在部２５Ｒｄと、第２屈曲端部２５Ｒｅと、をその順番で一体に有している。第５コイルセグメント２５の架橋部２５Ｒは、第１コイルセグメント２１の架橋部２１Ｒの構成と同様である。但し、第１延在部２５Ｒｂは、第１屈曲端部２５Ｒａから連結部２５Ｒｃに向かって、固定子鉄心１０の一端面１０ａの軸方向Ｚに離間しつつ傾斜角度が相対的に大きく形成された部分を含んでいる。第２延在部２５Ｒｄは、第２屈曲端部２５Ｒｅから連結部２５Ｒｃに向かって、固定子鉄心１０の一端面１０ａの軸方向Ｚに離間しつつ傾斜角度が相対的に大きく形成された部分を含んでいる。
架橋部２５Ｒの連結部２５Ｒｃにおける長側面２５Ｍは、固定子鉄心１０の一端面１０ａに対して対向して配置される。架橋部２５Ｒの連結部２５Ｒｃは、固定子鉄心１０の一端面１０ａに対してほぼ平行の部分を含んでいる。第１線状部２５Ｐａおよび第２線状部２５Ｑａにおける長側面２５Ｍは、それぞれ固定子鉄心１０の径方向に対向して配置される。このような構成にするため、第１延在部２５Ｒｂの部分に、延伸方向に捩れた第１捩部２５Ｒｆが形成されている。同様に、第２延在部２５Ｒｄの部分に、延伸方向に捩れた第２捩部２５Ｒｇが形成されている。
【００４２】
図１０を参照して、スロット１２の領域４Ｔおよび５Ｔ（４および５レーンに相当）に位置する第６コイルセグメント２６の構成について説明する。
図１０は、スロット１２の４レーンと５レーンにまたがって位置する第６コイルセグメント２６を示す斜視図である。
【００４３】
図１０に示すように、第６コイルセグメント２６は、異なる２つのスロット１２の領域４Ｔと領域５Ｔにまたがって配置されている。固定子鉄心１０の径方向に相対的に１つ位置が異なる２つの領域５Ｔおよび４Ｔ（例えば５レーンと４レーンを構成）の一方の領域５Ｔには第６コイルセグメント２６の第１線状部２６Ｐａが配置され、他方の領域４Ｔには第６コイルセグメント２６の第２線状部２６Ｑａが配置されている。すなわち、第６コイルセグメント２６は、異なる２つのスロット１２の領域４Ｔと領域５Ｔにまたがって配置されている。固定子鉄心１０の周方向に隣接して配置された第６コイルセグメント２６同士は、固定子鉄心１０の径方向に交差している。
【００４４】
第６コイルセグメント２６は、第５コイルセグメント２５と相似形状である。第６コイルセグメント２６は、第５コイルセグメント２５と同様に、スロット１２に配置される第１延伸部２６Ｐと、第１延伸部２６Ｐが配置されたスロット１２から固定子鉄心１０の周方向（固定子鉄心１０の一端面１０ａ側から他端面１０ｂに向かって視認した場合、反時計方向ＣＣＷ側）に６つ離れたスロット１２に配置される第２延伸部２６Ｑと、固定子鉄心１０の一端面１０ａ側において第１延伸部２６Ｐと第２延伸部２６Ｑとを架橋する架橋部２６Ｒと、を一体に有している。
【００４５】
架橋部２６Ｒは、固定子鉄心１０の一端面１０ａ側において、第１線状部２６Ｐａと第２線状部２６Ｑａとを連結している。架橋部２６Ｒは、第１屈曲端部２６Ｒａと、第１延在部２６Ｒｂと、連結部２６Ｒｃと、第２延在部２６Ｒｄと、第２屈曲端部２６Ｒｅと、をその順番で一体に有している。第１延在部２６Ｒｂは、第１屈曲端部２６Ｒａから連結部２６Ｒｃに向かって、固定子鉄心１０の一端面１０ａの軸方向Ｚに離間しつつ傾斜角度が相対的に大きく形成された部分を含んでいる。第２延在部２６Ｒｄは、第２屈曲端部２６Ｒｅから連結部２６Ｒｃに向かって、固定子鉄心１０の一端面１０ａの軸方向Ｚに離間しつつ傾斜角度が相対的に大きく形成された部分を含んでいる。第６コイルセグメント２６の架橋部２６Ｒは、第５コイルセグメント２５の架橋部２５Ｒの構成と同様である。但し、第６コイルセグメント２６の第１延在部２６Ｒｂは、第５コイルセグメント２５の第１延在部２５Ｒｂよりも長い。また、第６コイルセグメント２６の第２延在部２６Ｒｄは、第５コイルセグメント２５の第２延在部２５Ｒｄよりも短い。
架橋部２６Ｒにおける長側面２６Ｍは、固定子鉄心１０の一端面１０ａに対して対向して配置される。架橋部２６Ｒの連結部２６Ｒｃは、固定子鉄心１０の一端面１０ａに対してほぼ平行の部分を含んでいる。第１線状部２６Ｐａおよび第２線状部２６Ｑａにおける長側面２６Ｍは、それぞれ固定子鉄心１０の径方向に対向して配置される。このような構成にするため、第１延在部２６Ｒｂの部分に、延伸方向に捩れた第１捩部２６Ｒｆが形成されている。同様に、第２延在部２６Ｒｄの部分に、延伸方向に捩れた第２捩部２６Ｒｇが形成されている。
【００４６】
図１１を参照して、スロット１２の領域６Ｔおよび７Ｔ（６および７レーンに相当）に位置する第７コイルセグメント２７の構成について説明する。
図１１は、スロット１２の６レーンと７レーンにまたがって位置する第７コイルセグメント２７を示す斜視図である。
【００４７】
図１１に示すように、第７コイルセグメント２７は、異なる２つのスロット１２の領域６Ｔと領域７Ｔにまたがって配置されている。固定子鉄心１０の径方向に相対的に１つ位置が異なる２つの領域７Ｔおよび６Ｔ（例えば７レーンと６レーンを構成）の一方の領域７Ｔには第７コイルセグメント２７の第１線状部２７Ｐａが配置され、他方の領域６Ｔには第７コイルセグメント２７の第２線状部２７Ｑａが配置されている。すなわち、第７コイルセグメント２７は、異なる２つのスロット１２の領域６Ｔと領域７Ｔにまたがって配置されている。固定子鉄心１０の周方向に隣接して配置された第７コイルセグメント２７同士は、固定子鉄心１０の径方向に交差している。
【００４８】
第７コイルセグメント２７は、第５コイルセグメント２５と相似形状である。第７コイルセグメント２７は、第５コイルセグメント２５と同様に、スロット１２に配置される第１延伸部２７Ｐと、第１延伸部２７Ｐが配置されたスロット１２から固定子鉄心１０の周方向（固定子鉄心１０の一端面１０ａ側から他端面１０ｂに向かって視認した場合、反時計方向ＣＣＷ側）に６つ離れたスロット１２に配置される第２延伸部２７Ｑと、固定子鉄心１０の一端面１０ａ側において第１延伸部２７Ｐと第２延伸部２７Ｑとを架橋する架橋部２７Ｒと、を一体に有している。
【００４９】
架橋部２７Ｒは、固定子鉄心１０の一端面１０ａ側において、第１線状部２７Ｐａと第２線状部２７Ｑａとを連結している。架橋部２７Ｒは、第１屈曲端部２７Ｒａと、第１延在部２７Ｒｂと、連結部２７Ｒｃと、第２延在部２７Ｒｄと、第２屈曲端部２７Ｒｅと、をその順番で一体に有している。第１延在部２７Ｒｂは、第１屈曲端部２７Ｒａから連結部２７Ｒｃに向かって、固定子鉄心１０の一端面１０ａの軸方向Ｚに離間しつつ傾斜角度が相対的に大きく形成された部分を含んでいる。第２延在部２７Ｒｄは、第２屈曲端部２７Ｒｅから連結部２７Ｒｃに向かって、固定子鉄心１０の一端面１０ａの軸方向Ｚに離間しつつ傾斜角度が相対的に大きく形成された部分を含んでいる。第７コイルセグメント２７の架橋部２７Ｒは、第６コイルセグメント２６の架橋部２６Ｒの構成と同様である。但し、第７コイルセグメント２７の第１延在部２７Ｒｂは、第６コイルセグメント２６の第１延在部２６Ｒｂよりも長い。また、第７コイルセグメント２７の第２延在部２７Ｒｄは、第６コイルセグメント２６の第２延在部２６Ｒｄよりも短い。
架橋部２７Ｒにおける長側面２７Ｍは、固定子鉄心１０の一端面１０ａに対して対向して配置される。架橋部２７Ｒの連結部２７Ｒｃは、固定子鉄心１０の一端面１０ａに対してほぼ平行の部分を含んでいる。第１線状部２７Ｐａおよび第２線状部２７Ｑａにおける長側面２７Ｍは、それぞれ固定子鉄心１０の径方向に対向して配置される。このような構成にするため、第１延在部２７Ｒｂの部分に、延伸方向に捩れた第１捩部２７Ｒｆが形成されている。同様に、第２延在部２７Ｒｄの部分に、延伸方向に捩れた第２捩部２７Ｒｇが形成されている。
【００５０】
図１２から図１５を参照して、固定子鉄心１０の径方向において隣合うコイルセグメントの構成について説明する。
図１２は、複数の第７コイルセグメント２７を、固定子鉄心１０（不図示）の径方向および軸方向Ｚで構成される断面のうち、固定子鉄心１０のティース１４（不図示）を含む断面で示す斜視図、図１３は、複数の第６コイルセグメント２６を、ティース１４を含む断面で示す斜視図、図１４は、複数の第５コイルセグメント２５を、ティース１４を含む断面で示す斜視図である。図１５は、複数の第７コイルセグメント２７と第６コイルセグメント２６と第５コイルセグメント２５とを、ティース１４を含む断面で示す斜視図である。
【００５１】
図１２には、７レーンに沿う第１屈折部２７Ｐｂ側を含めて図示し固定子鉄心１０の周方向に連続して並ぶ６つの第７コイルセグメント２７Ｓ、２７Ｔ、２７Ｕ、２７Ｖ、２７Ｗおよび２７Ｘと、６レーンに沿う第２屈折部２７Ｑｂ側を含めて図示した１つの第７コイルセグメント２７Ｙを示している。
図１２および図１５には、第７コイルセグメント２７Ｓ、２７Ｔ、２７Ｕ、２７Ｖ、２７Ｗおよび２７Ｘに対応する、架橋部２７ＲＳ、２７ＲＴ、２７ＲＵ、２７ＲＶ、２７ＲＷおよび２７ＲＸを示している。
固定子鉄心１０の径方向に隣合う第７コイルセグメント２７Ｓの架橋部２７ＲＳと、第７コイルセグメント２７Ｘの架橋部２７ＲＸは、固定子鉄心１０の径方向と軸方向Ｚとで構成される同一の断面を固定子鉄心１０の周方向から見た場合、相対的に固定子鉄心１０の径方向内側に位置する架橋部２７ＲＳの第１傾斜角度θ１が、相対的に径方向外側に位置する架橋部２７ＲＸの第２傾斜角度θ２よりも小さい。第１傾斜角度θ１は、軸方向Ｚから架橋部２７ＲＳの長辺２７Ｓｓまでの角度である。第２傾斜角度θ２は、軸方向Ｚから架橋部２７ＲＸの長辺２７Ｘｓまでの角度である。さらに、固定子鉄心１０の径方向に隣合う架橋部２７ＲＴおよび架橋部２７ＲＷについても、上記の断面において、架橋部２７ＲＳおよび架橋部２７ＲＸと同様の傾斜角度の構成になっている。すなわち、複数の第７コイルセグメント２７において、固定子鉄心１０の径方向に隣合う架橋部は、連結部を除く第１延在部や第２延在部等の部分が、架橋部２７ＲＳと架橋部２７ＲＸと同様の傾斜角度の構成になっている。
【００５２】
図１３には、５レーンに沿う第１屈折部２６Ｐｂ側を含めて図示し固定子鉄心１０の周方向に連続して並ぶ６つの第６コイルセグメント２６Ｓ、２６Ｔ、２６Ｕ、２６Ｖ、２６Ｗおよび２６Ｘと、４レーンに沿う第２屈折部２６Ｑｂ側を含めて図示した１つの第６コイルセグメント２６Ｙを示している。
図１３および図１５には、第６コイルセグメント２６Ｓ、２６Ｔ、２６Ｕ、２６Ｖ、２６Ｗおよび２６Ｘに対応する、架橋部２６ＲＳ、２６ＲＴ、２６ＲＵ、２６ＲＶ、２６ＲＷおよび２６ＲＸを示している。
固定子鉄心１０の径方向に隣合う第６コイルセグメント２６Ｓの架橋部２６ＲＳと、第６コイルセグメント２６Ｘの架橋部２６ＲＸは、固定子鉄心１０の径方向と軸方向Ｚとで構成される同一の断面を固定子鉄心１０の周方向から見た場合、相対的に固定子鉄心１０の径方向内側に位置する架橋部２６ＲＳの第３傾斜角度θ３が、相対的に径方向外側に位置する架橋部２６ＲＸの第４傾斜角度θ４よりも小さい。第３傾斜角度θ３は、軸方向Ｚから架橋部２６ＲＳの長辺２６Ｓｓまでの角度である。第４傾斜角度θ４は、軸方向Ｚから架橋部２６ＲＸの長辺２６Ｘｓまでの角度である。さらに、固定子鉄心１０の径方向に隣合う架橋部２６ＲＴおよび架橋部２６ＲＷについても、上記の断面において、架橋部２６ＲＳおよび架橋部２６ＲＸと同様の傾斜角度の構成になっている。すなわち、複数の第６コイルセグメント２６において、固定子鉄心１０の径方向に隣合う架橋部は、連結部を除く第１延在部や第２延在部等の部分が、架橋部２６ＲＳと架橋部２６ＲＸと同様の傾斜角度の構成になっている。
【００５３】
図１４には、３レーンに沿う第１屈折部２５Ｐｂ側を含めて図示し固定子鉄心１０の周方向に連続して並ぶ６つの第５コイルセグメント２５Ｓ、２５Ｔ、２５Ｕ、２５Ｖ、２５Ｗおよび２５Ｘと、２レーンに沿う第２屈折部２５Ｑｂ側を含めて図示した１つの第５コイルセグメント２５Ｙを示している。
図１４および図１５には、第５コイルセグメント２５Ｓ、２５Ｔ、２５Ｕ、２５Ｖ、２５Ｗおよび２５Ｘに対応する、架橋部２５ＲＳ、２５ＲＴ、２５ＲＵ、２５ＲＶ、２５ＲＷおよび２５ＲＸを示している。
固定子鉄心１０の径方向に隣合う第５コイルセグメント２５Ｓの架橋部２５ＲＳと、第５コイルセグメント２５Ｘの架橋部２５ＲＸは、固定子鉄心１０の径方向と軸方向Ｚとで構成される同一の断面を固定子鉄心１０の周方向から見た場合、相対的に固定子鉄心１０の径方向内側に位置する架橋部２５ＲＳの第５傾斜角度θ５が、相対的に径方向外側に位置する架橋部２５ＲＸの第６傾斜角度θ６よりも小さい。第５傾斜角度θ５は、軸方向Ｚから架橋部２５ＲＳの長辺２５Ｓｓまでの角度である。第６傾斜角度θ６は、軸方向Ｚから架橋部２５ＲＸの長辺２５Ｘｓまでの角度である。さらに、固定子鉄心１０の径方向に隣合う架橋部２５ＲＴおよび架橋部２５ＲＷについても、上記の断面において、架橋部２５ＲＳおよび第５コイルセグメント２５Ｘと同様の傾斜角度の構成になっている。すなわち、複数の第５コイルセグメント２５において、固定子鉄心１０の径方向に隣合う架橋部は、連結部を除く第１延在部や第２延在部等の部分が、架橋部２５ＲＳと架橋部２５ＲＸと同様の傾斜角度の構成になっている。
【００５４】
図１６から図１８を参照して、コイル２０の結線状態について説明する。
図１６は、一相（Ｕ相）分の並列接続された２本のコイル２０の結線図、図１７は、並列接続された２本のコイル２０のうちの１本目のコイル２０の結線図、図１８は、並列接続された２本のコイル２０のうちの２本目のコイル２０の結線図である。
ここで、図１６から図１８には、固定子鉄心１０の周方向に配置された４８個のスロット１２を、１から４８までの数字にアンダーラインを付して表記している。図１６から図１８には、Ｕ相、Ｖ相およびＷ相のコイル２０のうち、Ｕ相のコイル２０の結線状態のみ図示している。このため、図１６から図１８において、スロット１２の番号は、５、６・・・・１１、１２・・・・のように、２つ連続して表記した後に４つ連続して省略している。図１６から図１８には、３６番目のスロット１２の近傍と、４１番目のスロット１２の近傍に、ａ、ｂ、ｃ、ｄ、ｅ、ｆ、ｇ、ｈ、ｉ、ｊ、ｋ、ｍ、ｎ、ｐ、ｑ、ｒ、ｓおよびｔのアルファベットを表記している。これらのアルファベットの表記は、各コイルセグメントにおいて、同一のアルファベットで表された部分が連続していることを表している。図１６から図１８において、コイル２０の各コイルセグメントは、固定子鉄心１０の一端面１０ａ側から視認できる部分を相対的に太く表し、固定子鉄心１０の他端面１０ｂ側に視認できる部分を相対的に薄く表している。接合されるべきコイルセグメント同士は、固定子鉄心１０の他端面１０ｂ側で溶接により接合され、その接合部分（溶接ドット２８）を十字の形状で表している。
【００５５】
Ｕ相、Ｖ相およびＷ相の２本のコイル２０は、固定子鉄心１０に周方向に複数並べて設けられた各スロット１２に対して、分布型の配置により、相対的に２つずつ位置をずらして配置されている。すなわち、ｎ番目からｎ＋４７番目まで並んだ４８個のスロット１２のうち、例えば、ｎ番目とｎ＋１番目のスロット１２にはＵ相のコイル２０が配置され、相対的に２つずれたｎ＋２番目とｎ＋３番目のスロット１２にはＶ相のコイル２０が配置され、さらに相対的に２つずれたｎ＋４番目とｎ＋５番目のスロット１２にはＷ相のコイル２０が配置されている。ｎは、１、６、１２、１８、２４、３０、３６および４２である。このように、Ｕ相、Ｖ相およびＷ相の２本のコイル２０は、配置されるスロット１２の位置が異なるだけで、コイル２０を構成するコイルセグメント（第１コイルセグメント２１から第７コイルセグメント２７）間の結線状態については同一である。一方、Ｕ相、Ｖ相およびＷ相の２本のコイル２０は、図７、図８および図１１等を参照しながら前述したコイルセグメント（第１コイルセグメント２１から第７コイルセグメント２７）の構成により、同じ相の１本目と２本目のコイル２０の結線状態が異なる。
【００５６】
図１６に示す並列接続された２本のコイル２０の結線図を、図１７に示す１本目のコイル２０の結線図と、図１８に示す２本目のコイル２０の結線図に分割して図示している。図１７において、第１コイルセグメント２１Ａ、２１Ｂ、２１Ｃ、２１Ｄの符号で表された第１コイルセグメント２１は、固定子鉄心１０におけるスロット１２の場所が異なるだけで、同一の形状から構成されている。第２コイルセグメント２２（２２Ａから２２Ｄ）から第４コイルセグメント２４（２４Ａから２４Ｄ）についても、第１コイルセグメント２１（２１Ａから２１Ｄ）と同様に、固定子鉄心１０におけるスロット１２の場所が異なるだけで、同一の形状から構成されている。ここで、図１７に表記した１本目のコイル２０の各コイルセグメントには、例えば第１コイルセグメント２１Ａ１のように、末尾に１を付している。一方、図１８に表記した２本目のコイル２０の各コイルセグメントには、例えば第２コイルセグメント２２Ａ２のように、末尾に２を付している。
【００５７】
図１７に示すように、Ｕ相の１本目のコイル２０において、１２番目の１レーンと１７番目の１レーンのスロット１２に配置された第１コイルセグメント２１Ａ１と、２５番目の２レーンと２９番目の３レーンのスロット１２に配置された第５コイルセグメント２５Ａ１と、３５番目の４レーンと４１番目の５レーンのスロット１２に配置された第６コイルセグメント２６Ａ１と、４７番目の６レーンと５番目の７レーンのスロット１２に配置された第７コイルセグメント２７Ａ１と、１１番目の８レーンと１８番目の８レーンのスロット１２に配置された第３コイルセグメント２３Ａ１が、それらの順番で接合されている。
上記の第３コイルセグメント２３Ａ１と、１２番目の７レーンと６番目の６レーンのスロット１２に配置された第７コイルセグメント２７Ｂ１と、４８番目の５レーンと４２番目の４レーンのスロット１２に配置された第６コイルセグメント２６Ｂ１と、３６番目の３レーンと３０番目の２レーンのスロット１２に配置された第５コイルセグメント２５Ｂ１と、２４番目の１レーンと２９番目の１レーンのスロット１２に配置された第１コイルセグメント２１Ｂ１が、それらの順番で接合されている。
上記の第１コイルセグメント２１Ｂ１と、３５番目の２レーンと４１番目の３レーンのスロット１２に配置された第５コイルセグメント２５Ｃ１と、４７番目の４レーンと５番目の５レーンのスロット１２に配置された第６コイルセグメント２６Ｃ１と、１１番目の６レーンと１７番目の７レーンのスロット１２に配置された第７コイルセグメント２７Ｃ１と、２３番目の８レーンと３０番目の８レーンのスロット１２に配置された第３コイルセグメント２３Ｂ１が、それらの順番で接合されている。
上記の第３コイルセグメント２３Ｂ１と、２４番目の７レーンと１８番目の６レーンのスロット１２に配置された第７コイルセグメント２７Ｄ１と、１２番目の５レーンと６番目の４レーンのスロット１２に配置された第６コイルセグメント２６Ｄ１と、４８番目の３レーンと４２番目の２レーンのスロット１２に配置された第５コイルセグメント２５Ｄ１と、３６番目の１レーンと４１番目の１レーンのスロット１２に配置された第１コイルセグメント２１Ｃ１が、それらの順番で接合されている。
上記の第１コイルセグメント２１Ｃ１と、４７番目の２レーンと５番目の３レーンのスロット１２に配置された第５コイルセグメント２５Ｅ１と、１１番目の４レーンと１７番目の５レーンのスロット１２に配置された第６コイルセグメント２６Ｅ１と、２３番目の６レーンと２９番目の７レーンのスロット１２に配置された第７コイルセグメント２７Ｅ１と、３５番目の８レーンと４２番目の８レーンのスロット１２に配置された第３コイルセグメント２３Ｃ１が、それらの順番で接合されている。
上記の第３コイルセグメント２３Ｃ１と、３６番目の７レーンと３０番目の６レーンのスロット１２に配置された第７コイルセグメント２７Ｆ１と、２４番目の５レーンと１８番目の４レーンのスロット１２に配置された第６コイルセグメント２６Ｆ１と、１２番目の３レーンと６番目の２レーンのスロット１２に配置された第５コイルセグメント２５Ｆ１と、４８番目の１レーンと５番目の１レーンのスロット１２に配置された第１コイルセグメント２１Ｄ１が、それらの順番で接合されている。
上記の第１コイルセグメント２１Ｄ１と、１１番目の２レーンと１７番目の３レーンのスロット１２に配置された第５コイルセグメント２５Ｇ１と、２３番目の４レーンと２９番目の５レーンのスロット１２に配置された第６コイルセグメント２６Ｇ１と、３５番目の６レーンと４１番目の７レーンのスロット１２に配置された第７コイルセグメント２７Ｇ１と、４７番目の８レーンと６番目の８レーンのスロット１２に配置された第３コイルセグメント２３Ｄ１が、それらの順番で接合されている。
上記の第３コイルセグメント２３Ｄ１と、４８番目の７レーンと４２番目の６レーンのスロット１２に配置された第７コイルセグメント２７Ｈ１と、３６番目の５レーンと３０番目の４レーンのスロット１２に配置された第６コイルセグメント２６Ｈ１と、２４番目の３レーンと１８番目の２レーンのスロット１２に配置された第５コイルセグメント２５Ｈ１が、それらの順番で接合されている。
上記のＵ相の１本目のコイル２０は、その一端に位置し１２番目の１レーンのスロット１２に配置された第１コイルセグメント２１Ａ１に口出し線Ｋ１が接続され、その他端に位置し１８番目の２レーンのスロット１２に配置された第５コイルセグメント２５Ｈ１に中性点Ｋ２が接続されている。
【００５８】
図１８に示すように、Ｕ相の２本目のコイル２０において、１１番目の１レーンと１８番目の１レーンのスロット１２に配置された第２コイルセグメント２２Ａ２と、２４番目の２レーンと３０番目の３レーンのスロット１２に配置された第５コイルセグメント２５Ａ２と、３６番目の４レーンと４２番目の５レーンのスロット１２に配置された第６コイルセグメント２６Ａ２と、４８番目の６レーンと６番目の７レーンのスロット１２に配置された第７コイルセグメント２７Ａ２と、１２番目の８レーンと１７番目の８レーンのスロット１２に配置された第４コイルセグメント２４Ａ２が、それらの順番で接合されている。
上記の第４コイルセグメント２４Ａ２と、１１番目の７レーンと５番目の６レーンのスロット１２に配置された第７コイルセグメント２７Ｂ２と、４７番目の５レーンと４１番目の４レーンのスロット１２に配置された第６コイルセグメント２６Ｂ２と、３５番目の３レーンと２９番目の２レーンのスロット１２に配置された第５コイルセグメント２５Ｂ２と、２３番目の１レーンと３０番目の１レーンのスロット１２に配置された第２コイルセグメント２２Ｂ２が、それらの順番で接合されている。
上記の第２コイルセグメント２２Ｂ２と、３６番目の２レーンと４２番目の３レーンのスロット１２に配置された第５コイルセグメント２５Ｃ２と、４８番目の４レーンと６番目の５レーンのスロット１２に配置された第６コイルセグメント２６Ｃ２と、１２番目の６レーンと１８番目の７レーンのスロット１２に配置された第７コイルセグメント２７Ｃ２と、２４番目の８レーンと２９番目の８レーンのスロット１２に配置された第４コイルセグメント２４Ｂ２が、それらの順番で接合されている。
上記の第４コイルセグメント２４Ｂ２と、２３番目の７レーンと１７番目の６レーンのスロット１２に配置された第７コイルセグメント２７Ｄ２と、１１番目の５レーンと５番目の４レーンのスロット１２に配置された第６コイルセグメント２６Ｄ２と、４７番目の３レーンと４１番目の２レーンのスロット１２に配置された第５コイルセグメント２５Ｄ２と、３５番目の１レーンと４２番目の１レーンのスロット１２に配置された第２コイルセグメント２２Ｃ２が、それらの順番で接合されている。
上記の第２コイルセグメント２２Ｃ２と、４８番目の２レーンと６番目の３レーンのスロット１２に配置された第５コイルセグメント２５Ｅ２と、１２番目の４レーンと１８番目の５レーンのスロット１２に配置された第６コイルセグメント２６Ｅ２と、２４番目の６レーンと３０番目の７レーンのスロット１２に配置された第７コイルセグメント２７Ｅ２と、３６番目の８レーンと４１番目の８レーンのスロット１２に配置された第４コイルセグメント２４Ｃ２が、それらの順番で接合されている。
上記の第４コイルセグメント２４Ｃ２と、３５番目の７レーンと２９番目の６レーンのスロット１２に配置された第７コイルセグメント２７Ｆ２と、２３番目の５レーンと１７番目の４レーンのスロット１２に配置された第６コイルセグメント２６Ｆ２と、１１番目の３レーンと５番目の２レーンのスロット１２に配置された第５コイルセグメント２５Ｆ２と、４７番目の１レーンと６番目の１レーンのスロット１２に配置された第２コイルセグメント２２Ｄ２が、それらの順番で接合されている。
上記の第２コイルセグメント２２Ｄ２と、１２番目の２レーンと１８番目の３レーンのスロット１２に配置された第５コイルセグメント２５Ｇ２と、２４番目の４レーンと３０番目の５レーンのスロット１２に配置された第６コイルセグメント２６Ｇ２と、３６番目の６レーンと４２番目の７レーンのスロット１２に配置された第７コイルセグメント２７Ｇ２と、４８番目の８レーンと５番目の８レーンのスロット１２に配置された第４コイルセグメント２４Ｄ２が、それらの順番で接合されている。
上記の第４コイルセグメント２４Ｄ２と、４７番目の７レーンと４１番目の６レーンのスロット１２に配置された第７コイルセグメント２７Ｈ２と、３５番目の５レーンと２９番目の４レーンのスロット１２に配置された第６コイルセグメント２６Ｈ２と、２３番目の３レーンと１７番目の２レーンのスロット１２に配置された第５コイルセグメント２５Ｈ２が、それらの順番で接合されている。
上記のＵ相の２本目のコイル２０は、その一端に位置し１１番目の１レーンのスロット１２に配置された第２コイルセグメント２２Ａ２に口出し線Ｋ３が接続され、その他端に位置し１７番目の２レーンに配置された第５コイルセグメント２５Ｈ２に中性点Ｋ４が接続されている。
【００５９】
以上のように構成された実施形態によれば、図１５に示すように、中心軸線Ｃ１を通る軸方向Ｚと、固定子鉄心１０の径方向と、で構成される断面のうちティース１４と架橋部とを含む断面で架橋部を見た場合に、中心軸線Ｃ１から径方向の最も外側までの間における、それぞれ長辺側の側面が軸方向Ｚから径方向の外側に向かって所定の傾斜角度で傾斜し、かつ、軸方向Ｚと平行な方向又は交差した方向の直近で隣合う一組の架橋部が、径方向に対して最も多く存在する領域において、軸方向Ｚに隣合い、かつ、径方向の内側から見て同じ順番で配置された一組の架橋部のうち固定子鉄心１０に対して相対的に遠くに位置する架橋部は、固定子鉄心１０に対して相対的に近くに位置する架橋部と比べて、径方向の外側に配置され、かつ、軸方向Ｚから径方向の外側に対する傾斜角度が大きいものを含み、径方向に並ぶ架橋部のうち相対的に径方向の外側に位置する架橋部は、相対的に径方向の内側に位置する架橋部と比べて、傾斜角度が大きいものを含んでいる。
図１２から図１５に示すように、固定子鉄心１０の径方向に隣合う第７コイルセグメント２７Ｓの架橋部２７ＲＳと、第７コイルセグメント２７Ｘの架橋部２７ＲＸは、固定子鉄心１０の径方向と軸方向Ｚとで構成される同一の断面を固定子鉄心１０の周方向から見た場合、相対的に固定子鉄心１０の径方向内側に位置する架橋部２７ＲＳの第１傾斜角度θ１が、相対的に径方向外側に位置する架橋部２７ＲＸの第２傾斜角度θ２よりも小さい。この構成は、図１３および図１５に示す第６コイルセグメント２６、および図１４および図１５に示す第５コイルセグメント２５についても同様である。
図１５に示すように、軸方向Ｚと交差した方向の直近で隣合う一組の架橋部２７ＲＴおよび２７ＲＳにおいて、架橋部２７ＲＴは、架橋部２７ＲＳよりも固定子鉄心１０の径方向の外側に配置され、かつ、軸方向Ｚから径方向の外側に対する傾斜角度が大きい。軸方向Ｚと交差した方向の直近で隣合う一組の架橋部２７ＲＷおよび２７ＲＸにおいて、架橋部２７ＲＷは、架橋部２７ＲＸよりも固定子鉄心１０の径方向の外側に配置され、かつ、軸方向Ｚから径方向の外側に対する傾斜角度が大きい。
軸方向Ｚと交差した方向の直近で隣合う一組の架橋部２６ＲＴおよび２６ＲＳにおいて、架橋部２６ＲＴは、架橋部２６ＲＳよりも固定子鉄心１０の径方向の外側に配置され、かつ、軸方向Ｚから径方向の外側に対する傾斜角度が大きい。軸方向Ｚと交差した方向の直近で隣合う一組の架橋部２６ＲＷおよび２６ＲＸにおいて、架橋部２６ＲＷは、架橋部２６ＲＸよりも固定子鉄心１０の径方向の外側に配置され、かつ、軸方向Ｚから径方向の外側に対する傾斜角度が大きい。
軸方向Ｚと交差した方向の直近で隣合う一組の架橋部２５ＲＴおよび２５ＲＳにおいて、架橋部２５ＲＴは、架橋部２５ＲＳよりも固定子鉄心１０の径方向の外側に配置され、かつ、軸方向Ｚから径方向の外側に対する傾斜角度が大きい。軸方向Ｚと交差した方向の直近で隣合う一組の架橋部２５ＲＷおよび２５ＲＸにおいて、架橋部２５ＲＷは、架橋部２５ＲＸよりも固定子鉄心１０の径方向の外側に配置され、かつ、軸方向Ｚから径方向の外側に対する傾斜角度が大きい。
このような構成によれば、固定子鉄心１０の径方向に隣合う第７コイルセグメント２７の架橋部２７Ｒ同士が、固定子鉄心１０の軸方向Ｚおよび径方向において干渉することを防止できる。すなわち、固定子鉄心１０の軸方向Ｚおよび径方向に隣合う架橋部同士が、径方向において接触して軸方向Ｚに積み重なるようなことを防止できる。したがって、回転電機１００の固定子１１０は、特に軸方向Ｚに対して小型化を図ることができる。すなわち、回転電機１００は、特に軸方向Ｚに対して小型化を図ることができる。
【００６０】
さらに、実施形態によれば、コイルセグメントは、一対の線状部の長辺側の側面が、それぞれ径方向に対向するようにして配置されている。架橋部が、一対の線状部との連結部分においてそれぞれ固定子鉄心１０の周方向に向かって折り曲げられた２つの折曲部と、２つの折曲部の間において長辺側の側面が径方向に対向しつつ短辺側の側面が軸方向に対向するように周方向の回りで捩れた１つ以上の捩部と、を有している。すなわち、第７コイルセグメント２７は、第１線状部２７Ｐａおよび第２線状部２７Ｑａにおける長側面２７Ｍの各々が、それぞれ固定子鉄心１０の径方向に対向して配置されている。また、第７コイルセグメント２７の架橋部２７Ｒが、第７コイルセグメント２７の延伸方向に捩れた捩部（第１捩部２７Ｒｆおよび第２捩部２７Ｒｇ）を有している。この構成は、第６コイルセグメント２６および第５コイルセグメント２５についても同様である。このような構成によれば、固定子鉄心１０の径方向に延在したスロット１２に対して、第７コイルセグメント２７の長側面２７Ｍと直交する短側面２７Ｎ側を密に並べることができる。すなわち、スロット１２に対して、より多くのコイルセグメントを配置させることができる。ここで、第７コイルセグメント２７は、長側面２７Ｍ側が固定子鉄心１０の径方向に対向している第１線状部２７Ｐａと、長側面２７Ｍ側が固定子鉄心１０の一端面１０ａに対向している架橋部２７Ｒとの間で、第１捩部２７Ｒｆによって延伸方向を捩じ曲げるようにして構成することができる。同様に、第７コイルセグメント２７は、長側面２７Ｍ側が固定子鉄心１０の径方向に対向している第２線状部２７Ｑａと、長側面２７Ｍ側が固定子鉄心１０の一端面１０ａに対向している架橋部２７Ｒとの間で、第２捩部２７Ｒｇによって延伸方向を捩じ曲げるようにして構成することができる。
さらに、実施形態によれば、全てのコイルセグメントは、図１に示すように、固定子鉄心１０の外周面１０ｄよりも固定子鉄心１０の径方向内側に位置している。ここで、全てのコイルセグメントは、第１コイルセグメント２１から第７コイルセグメント２７のうち、特に、最も固定子鉄心１０の径方向外側に位置する第１コイルセグメント２１と第２コイルセグメント２２に相当する。このような構成によれば、例えば、第１コイルセグメント２１と第２コイルセグメント２２とが、固定子鉄心１０の外側に位置する図示せぬケーシングと干渉することを防止できる。
さらに、実施形態によれば、全てのコイルセグメントは、図１に示すように、固定子鉄心１０の内周面１０ｃよりも固定子鉄心１０の径方向外側に位置している。ここで、全てのコイルセグメントは、第１コイルセグメント２１から第７コイルセグメント２７のうち、特に、最も固定子鉄心１０の径方向内側に位置する第３コイルセグメント２３と第４コイルセグメント２４に相当する。このような構成によれば、例えば、第３コイルセグメント２３と第４コイルセグメント２４とが、固定子鉄心１０の内側に位置する回転子１２０と干渉することを防止できる。
【００６１】
さらに、実施形態によれば、スロット１２は、例えば第７コイルセグメント２７が固定子鉄心１０の軸方向Ｚに配置され径方向に並ぶ連続した２つの領域６Ｔおよび７Ｔを有している。ここで、第１線状部２７Ｐａは、相対的に１つ位置が異なる２つの領域６Ｔおよび７Ｔのうちの一方の領域７Ｔに配置されている。第２線状部２７Ｑａは、他方の領域６Ｔに配置されている。この構成は、第６コイルセグメント２６および第５コイルセグメント２５についても同様である。このような構成によれば、固定子鉄心１０の径方向に隣合う第７コイルセグメント２７の架橋部２７Ｒ同士が、固定子鉄心１０の径方向において接触して軸方向Ｚに積み重なるようなことを防止できる。
さらに、実施形態によれば、第７コイルセグメント２７の第１延在部２７Ｒｂが、第１屈曲端部２７Ｒａから連結部２７Ｒｃに向かって、固定子鉄心１０の一端面１０ａの軸方向Ｚに離間しつつ傾斜角度が大きく形成された部分を含み、かつ、第２延在部２７Ｒｄが、第２屈曲端部２７Ｒｅから連結部２７Ｒｃに向かって、固定子鉄心１０の一端面１０ａの軸方向Ｚに離間しつつ傾斜角度が大きく形成された部分を含んでいる。この構成は、第６コイルセグメント２６および第５コイルセグメント２５についても同様である。このような構成によれば、固定子鉄心１０の径方向に隣合う第７コイルセグメント２７の架橋部２７Ｒ同士が、固定子鉄心１０の径方向において接触して軸方向Ｚに積み重なるようなことを防止できる。
さらに、実施形態によれば、第７コイルセグメント２７の架橋部２７Ｒにおける長側面２７Ｍは、固定子鉄心１０の一端面１０ａに対してほぼ平行の部分を含んでいる。この構成は、第６コイルセグメント２６および第５コイルセグメント２５についても同様である。
このような構成によれば、第７コイルセグメント２７の架橋部２７Ｒにおける長側面２７Ｍが、固定子鉄心１０の一端面１０ａに対してほぼ平行の部分を含んでいない場合よりも、固定子１１０の軸方向Ｚの全長を抑制できる。すなわち、第７コイルセグメント２７において、架橋部２７Ｒにおける長側面２７Ｍと固定子鉄心１０の一端面１０ａとがほぼ平行に向かい合う部分は、固定子鉄心１０の軸方向Ｚにおいて架橋部２７Ｒの短側面２７Ｎが位置する。固定子鉄心１０の軸方向Ｚにおいて、架橋部２７Ｒにおける短側面２７Ｎの全長は、架橋部２７Ｒにおける長側面２７Ｍの全長よりも短い。したがって、第７コイルセグメント２７の架橋部２７Ｒにおける長側面２７Ｍを、固定子鉄心１０の一端面１０ａに対してほぼ平行に配置する部分を設けて、固定子１１０の小型化を図ることができる。
【００６２】
なお、本発明の実施形態を説明したが、この実施形態は、例として提示したものであり、発明の範囲を限定することは意図していない。実施形態は、その他の様々な形態で実施されることが可能であり、発明の要旨を逸脱しない範囲で、種々の省略、置き換え、変更を行うことができる。これら実施形態や変形例は、発明の範囲や要旨に含まれると同様に、特許請求の範囲に記載された発明とその均等の範囲に含まれるものである。
例えば、コイルの巻数、コイルセグメントの設置数は、前述した実施形態に限定されることなく、適宜、増減可能である。実施形態に係る回転子および回転電機は、永久磁石界磁電動機に限らず、巻線界磁型回転電機、および誘導型回転電機にも適用可能である。回転子の寸法、材質、形状等は、前述した実施形態に限定されることなく、設計に応じて種々変更可能である。
具体的には、例えば、実施形態のように固定子鉄心１０の各スロット１２に８本のコイルセグメントを設ける構成に限定されることなく、各スロットに６本以下または１０本以上のコイルセグメントを設ける構成としてもよい。
また、実施形態では、スロット１２の１レーン（最外周レーン）に位置する第１コイルセグメント２１と第２コイルセグメント２２、およびスロット１２の８レーン（最内周レーン）に位置する第３コイルセグメント２３と第４コイルセグメント２４は、固定子鉄心１０の径方向において互いにまたぐように交差していない。すなわち、スロット１２の１レーンと８レーンにおいて、固定子鉄心１０の周方向に隣合う上記のコイルセグメント（第１コイルセグメント２１、第２コイルセグメント２２、第３コイルセグメント２３および第４コイルセグメント２４）は、互いにクロスしていない。一方、固定子鉄心１０の周方向に隣合う第５コイルセグメント２５同士、第６コイルセグメント２６同士、および第７コイルセグメント２７同士は、固定子鉄心１０の径方向において互いにまたぐように交差している。すなわち、固定子鉄心１０の周方向に隣合う上記のコイルセグメント（第５コイルセグメント２５、第６コイルセグメント２６および第７コイルセグメント２７）は、互いにクロスしている。このような実施形態に限定されることなく、例えば、スロット１２の１レーンと２レーンに位置し固定子鉄心１０の周方向に隣合うコイルセグメント同士、３レーンと４レーンに位置し隣合うコイルセグメント同士、５レーンと６レーンに位置し隣合うコイルセグメント同士、および７レーンと８レーンに位置し隣合うコイルセグメント同士を、固定子鉄心１０の径方向においてまたぐように交差させて構成してもよい。すなわち、固定子鉄心１０の周方向に隣合う全てのコイルセグメンをクロスさせて配置する構成としてもよい。
【要約】
実施形態の固定子１１０によれば、第７コイルセグメント２７の架橋部２７Ｒは、固定子鉄心１０の軸方向から径方向外側に所定の傾斜角度で傾斜しつつ一端面１０ａから離れるように延びている。固定子鉄心１０の周方向に隣合う第７コイルセグメント２７の架橋部２７Ｒは、固定子鉄心１０の径方向と軸方向Ｚとで構成される同一の断面を固定子鉄心１０の周方向から見た場合、相対的に固定子鉄心１０の径方向内側に位置する架橋部２７Ｒの第１傾斜角度θ１が、相対的に径方向外側に位置する架橋部２７Ｒの第２傾斜角度θ２よりも小さい。【図１】
0006805396.tif 000002
【図２】
0006805396.tif 000003
【図３】
0006805396.tif 000004
【図４】
0006805396.tif 000005
【図５】
0006805396.tif 000006
【図６】
0006805396.tif 000007
【図７】
0006805396.tif 000008
【図８】
0006805396.tif 000009
【図９】
0006805396.tif 000010
【図１０】
0006805396.tif 000011
【図１１】
0006805396.tif 000012
【図１２】
0006805396.tif 000013
【図１３】
0006805396.tif 000014
【図１４】
0006805396.tif 000015
【図１５】
0006805396.tif 000016
【図１６】
0006805396.tif 000017
【図１７】
0006805396.tif 000018
【図１８】
0006805396.tif 000019